(57)【特許請求の範囲】
【請求項１】
壁面をなす面材と、
前記面材が取り付けられる枠体と、
前記枠体と係合し、前記面材における周縁を当該枠体側に押圧して前記面材と前記枠体とを取り付けるための押圧係合部材と、
を備え、
前記押圧係合部材は、前記面材に対面されて配置される壁面対向部と、前記枠体側と係合する突片を有する側面対向部とが一体をなし、前記面材と前記壁面対向部との間に、弾性を有する弾性部材を介して前記突片が係合されることにより、前記面材は前記枠体に保持され、
前記面材の周縁は、前記壁面が前記押圧係合部材にて覆われる部位と、屋外側に露出する部位とを有することを特徴とするカーテンウォール。
【請求項２】
請求項１に記載のカーテンウォールであって、
前記面材はガラスであり、
前記押圧係合部材と、前記弾性部材とは同系統の色にて形成されていることを特徴とするカーテンウォール。
【請求項３】
請求項１に記載のカーテンウォールであって、
前記面材はガラスであり、
前記押圧係合部材と、前記弾性部材とは互いに異なる系統の色にて形成されていることを特徴とするカーテンウォール。
【請求項４】
請求項１乃至請求項３のいずれかに記載のカーテンウォールであって、
前記面材は多角形状をなし、
前記面材の外周縁部が前記押圧係合部材にて押圧されていることを特徴とするカーテンウォール。
【請求項５】
請求項４に記載のカーテンウォールであって、
前記面材は、縦横二対の辺が前記外周縁部となる矩形状をなし、
前記二対のうちの一対の辺側が前記押圧係合部材にて押圧されていることを特徴とするカーテンウォール。
【請求項６】
請求項５に記載のカーテンウォールであって、
前記面材は長方形状をなし、前記２対の辺のうち長さの長い一対の辺側が前記押圧係合部材にて押圧されていることを特徴とするカーテンウォール。
【請求項７】
請求項５または請求項６に記載のカーテンウォールであって、
矩形状をなす前記面材は四隅が前記押圧係合部材にて押圧されていることを特徴とするカーテンウォール。
【請求項８】
請求項１乃至請求項７のいずれかに記載のカーテンウォールであって、
前記押圧係合部材は、見込み方向における一方の側に移動されて係合され、
前記押圧係合部材を、前記枠体に沿う方向における所定の位置に保持する保持部材を有し、
前記保持部材は、前記押圧係合部材が保持された状態で、前記見込み方向における他方の側への移動を規制する移動規制部を有することを特徴とするカーテンウォール。
【発明の詳細な説明】
【技術分野】
【０００１】
本発明は、壁面をなす面材と枠体とを有するカーテンウォールに関する。
【背景技術】
【０００２】
壁面をなす面材と枠材とを有するカーテンウォールとしては、例えば、壁面が枠材等により覆われないように、建物の構造体や構造体に設けられた枠材にストラクチャルシール材を用いて面材としてのガラスを貼り付ける、所謂ＳＳＧ構法（ＳＴＲＵＣＴＵＲＡＬ  ＳＥＡＬＡＮＴ  ＧＬＡＺＩＮＧ  ＳＹＳＴＥＭ）のカーテンウォールが知られている（例えば、特許文献１参照）。また、壁面が枠材等により覆われる面積を小さくするために、建物の構造体等から屋外側に金具を突出させ、当該金具を面材としてのガラスに貫通させて固定したカーテンウォールも知られている。これらのカーテンウォールは、現場にて面材が取り付けられる。また、施工性を考慮して面材と枠材とをユニット化したカーテンウォールもある。ユニット化されたカーテンウォールは、面材の周縁部が全周に亘って押縁等により枠材に押さえられている。
【特許文献１】実公平７−１２６２１号公報
【発明の開示】
【発明が解決しようとする課題】
【０００３】
上記従来のＳＳＧ構法のカーテンウォールは、ストラクチャルシール材自身が高価であるとともに耐力を確保するために厳格な品質管理が必要となるため製品コストが高騰してしまうという課題があった。
【０００４】
また、壁面において枠材等で覆われる面積を小さくするために、面積の小さな金具を躯体などから突出させ、当該金具にて面材を固定する工法も行われているが、このような工法は現場にて面材を直接取り付けなければならず、高所作業が余儀なくされ施工性が悪いという課題がある。
【０００５】
一方、施工性を考慮し工場で枠体などの部材と面材を一体化してユニット化したカーテンウォールは、面材の周縁部を全周に渡って覆う押縁等の枠材により面材が保持されるため、押縁等にて壁面が覆われる面積が広くなり、意匠の自由度が低いという課題がある。
【０００６】
本発明はかかる課題に鑑みてなされたものであり、その目的とするところは、施工性がよく、意匠の自由度が高く、且つ、美観の優れたカーテンウォールを提供することにある。
【課題を解決するための手段】
【０００７】
かかる目的を達成するために本発明のカーテンウォールは、壁面をなす面材と、前記面材が取り付けられる枠体と、前記枠体と係合し、前記面材における周縁を当該枠体側に押圧して前記面材と前記枠体とを取り付けるための押圧係合部材と、を備え、前記押圧係合部材は、前記面材に対面されて配置される壁面対向部と、前記枠体側と係合する突片を有する側面対向部とが一体をなし、前記面材と前記壁面対向部との間に、弾性を有する弾性部材を介して前記突片が係合されることにより、前記面材は前記枠体に保持され、前記面材の周縁は、前記壁面が前記押圧係合部材にて覆われる部位と、屋外側に露出する部位とを有することを特徴とするカーテンウォールである。
【０００８】
このようなカーテンウォールによれば、面材における周縁を枠体側に押圧する押圧係合部材により面材と枠体とが取り付けられるので、高価なシーリング材を用いることなく安価に取り付けることが可能である。また、取り付けられるカーテンウォールは工場等にて製造できるので、現場での作業が少なく、足場等も必要としないので施工性がよい。また、面材の周縁は、壁面が押圧係合部材にて覆われる部位と、覆われずに屋外側に露出している部位とを有するので、全周に亘って覆われたカーテンウォールより、覆われる部位が狭く露出される部位が広いため、意匠の自由度が高く、且つ、美観の優れたカーテンウォールを実現することが可能である。
【０００９】
また、押圧係合部材と面材との間に介在されたシール部材の弾性により面材を枠体に、より確実に押圧して保持させることが可能である。
【００１０】
かかるカーテンウォールであって、前記面材はガラスであり、前記押圧係合部材と、前記弾性部材とは同系統の色にて形成されていることが望ましい。  
このようなカーテンウォールによれば、面材がガラスなので、押圧係合部材に覆われる面積が小さいことにより、より多くの採光が可能である。また、面材がガラスなので、外壁側から弾性部材が視認されてしまうが、押圧係合部材を弾性部材と同系統の色とすることにより、押圧係合部材が目立たなくなり、意匠性に優れた壁面を形成することが可能である。
【００１１】
かかるカーテンウォールであって、前記面材はガラスであり、前記押圧係合部材と、前記弾性部材とは互いに異なる系統の色にて形成されていてもよい。  
このようなカーテンウォールによれば、面材がガラスなので、押圧係合部材に覆われる面積が小さいことにより、より多くの採光が可能である。また、面材がガラスなので、外壁側から弾性部材が視認されてしまうが、押圧係合部材を弾性部材と互いに異なる系統の色とすることにより、押圧係合部材を目立たせて意匠性に優れた壁面を形成することが可能である。
【００１２】
かかるカーテンウォールであって、前記面材は多角形状をなし、前記面材の外周縁部が前記押圧係合部材にて押圧されていることが望ましい。  
このようなカーテンウォールによれば、面材が多角形状なので、面材を外周縁部で支えつつ様々な形状、例えば三次元形状の外壁を形成することが可能であり、デザインにおける自由度が高いのでより意匠性に優れた外壁を形成することが可能である。
【００１３】
かかるカーテンウォールであって、前記面材は、縦横二対の辺が前記外周縁部となる矩形状をなし、前記二対のうちの一対の辺側が前記押圧係合部材にて押圧されていることが望ましい。  
このようなカーテンウォールによれば、縦横二対の辺が前記外周縁部となる矩形状をなす面材の一対の辺側が押圧係合部材にて押圧されているので、面材が押圧係合部材にて覆われる面積が小さくなり、より美観に優れたカーテンウォールを実現することが可能である。
【００１４】
かかるカーテンウォールであって、前記面材は長方形状をなし、前記二対の辺のうち長さの長い一対の辺側が前記押圧係合部材にて押圧されていることが望ましい。  
このようなカーテンウォールによれば、二対の辺のうち長さの長い一対の辺側が押圧係合部材にて押圧されているので、より安定して確実に面材を保持させることが可能である。
【００１５】
かかるカーテンウォールであって、矩形状をなす前記面材は四隅が前記押圧係合部材にて押圧されていることが望ましい。  
このようなカーテンウォールによれば、面材の四隅に押圧係合部材にて枠体側に押圧されているので、各押圧係合部材が面材の四辺のうちの隣接する二辺ずつを押圧して面材を確実に保持するとともに、面材が押圧係合部材に覆われる部位は四隅なので押圧係合部材が目立ちにくく、より美観に優れた壁面を構成することが可能である。
【００１６】
かかるカーテンウォールであって、前記押圧係合部材は、見込み方向における一方の側に移動されて係合され、前記押圧係合部材を、前記枠体に沿う方向における所定の位置に保持する保持部材を有し、前記保持部材は、前記押圧係合部材が保持された状態で、前記見込み方向における他方の側への移動を規制する移動規制部を有することが望ましい。  
このようなカーテンウォールによれば、面材と枠体とを取り付ける押圧係合部材は保持された状態では見込み方向における他方の側、すなわち、押圧係合部材が係合される方向と反対の方向への移動が規制されるので、取り付けた面材と枠体とが外れにくいカーテンウォールを提供することが可能である。
【発明の効果】
【００１７】
本発明によれば、施工性がよく、意匠の自由度が高く、且つ、美観の優れたカーテンウォールを提供することにある。
【発明を実施するための最良の形態】
【００１８】
以下、本発明の一実施形態に係るカーテンウォールについて図面を参照して説明する。
【００１９】
実施形態の一例として、工場等にて枠体と面材等とが取り付けられてユニット化され、上下方向及び左右方向に隣接させて建築物の構造材に複数取り付けられるカーテンウォール１０について説明する。
【００２０】
以下の説明では、カーテンウォール１０を屋外側から見たときに上下となる方向を上下方向、左右となる方向を左右方向または見付け方向、屋内外方向である奥行き方向を見込み方向として示す。
【００２１】
本実施形態のカーテンウォール１０は、例えばビル等の上下の階床間を覆う外壁材として用いられ、上階の床を支持する構造材としてのスラブ（不図示）等に固定されて吊り下げられる。
【００２２】
本実施形態のカーテンウォール１０は、図１に示すように、外壁として上下左右に隣接させて取り付けられると、建物の外観はほぼ全域がガラスで覆われているように見える。
【００２３】
カーテンウォール１０は、壁面をなす面材としてのガラス１２と、ガラス１２の上下左右にそれぞれ配置される上下の横枠２２、２４及び左右の縦枠２６、２８を有しガラス１２が取り付けられる枠体２０と、図２に示すように、枠体２０と係合しガラス１２の外周縁部を枠体２０に押圧してガラス１２と枠体２０とを取り付けるための押圧係合部材３０と、押圧係合部材３０を枠体２０に沿う方向における所定の位置に保持する保持部材５０（図６）とを有している。
【００２４】
枠体２０を構成する上の横枠（上枠）２２は、ガラス１２の上端を収容し、下の横枠（下枠）２４は、ガラス１２の下端を収容する。
【００２５】
左の縦枠（左枠）２６は、ガラス１２の左側の縁に沿って屋内側に配置され、右の縦枠（右枠）２８は、ガラス１２の右側の縁に沿って屋内側に配置される。左枠２６の左側の側部及び右枠２８の右側の側部には、図３、図４に示すように、それぞれ押圧係合部材３０と係合する縦枠フック部２６ａ、２８ａが、見込み方向における屋外側に上下方向に沿って全長に亘って設けられている。また、縦枠フック部２６ａ、２８ａは、左枠２６及び右枠２８にそれぞれ、見込み方向に間隔を隔てて２箇所に設けられている。すなわち、縦枠フック部２６ａ、２８ａは、上枠２２、下枠２４、左枠２６、右枠２８が矩形状に接合された枠体２０の外周面における縦方向の側面に、長手方向に沿って全域に亘り見込み方向に間隔を隔てて２列形成されている。
【００２６】
また、縦枠フック部２６ａ、２８ａは、見付け方向の外方側に突出されており、その先端部には見込み方向に沿って屋内側に向かって形成された係合片２６ｂ、２８ｂが設けられている。すなわち、縦枠フック部２６ａ、２８ａは、見付け方向の最も外方側に係合片２６ｂ、２８ｂが位置し、係合片２６ｂ、２８ｂより、見付け方向における枠体の２０の中央側に、押圧係合部材３０の後述する係合部材フック部３４ａが屋内側から挿入することにより左枠２６、右枠２８と押圧係合部材３０が係合する。
【００２７】
また、枠体２０の外周面における見込み方向の中央付近には、防水シール１４の端部が挿入される防水シール収容部２０ａが設けられている。このため、カーテンウォール１０は外周部に全周に亘って防水シール１４が設けられ、複数のカーテンウォール１０を縦横に並べて配置して外壁を形成した際には、隣接するカーテンウォール１０の防水シール１４同士がそれぞれ互いに当接されるように構成されている。
【００２８】
さらに、枠体２０の見込み方向の屋内側、すなわち、防水シール収容部２０ａより屋内側には、長手方向に連通する屋内側中空部２０ｂが設けられている。そして、複数のカーテンウォール１０が縦横に並べて配置された際に、隣接するカーテンウォール１０の屋内側中空部２０ｂ同士の外周部が互いに対面し、屋内側中空部２０ｂ間には空隙が形成される。この空隙の屋外側には、バックアップ材１９が設けられ、屋内側には防風シール１６が充填されている。
【００２９】
また、枠体２０のガラス１２と対向する面、すなわち屋外側の面には、突起２０ｃが全周に設けられており、突起２０ｃには、ガラス１２と枠体２０との間をシールするための弾性を有するガラス枠間シール部材１８が取り付けられており、ガラス枠間シール部材１８の外周側には、ガラス枠間シール部材１８の潰れを防止するための弾性を有するバックアップ材１９が設けられている。
【００３０】
押圧係合部材３０は、ガラス１２の屋外側の面すなわち外壁面側から側面及び縦枠側に亘って配置される本体部３２と、本体部３２とガラス１２との間に介在されるべく本体部３２に嵌め付けられるシール部材３８とを有している。押圧係合部材３０は、図１に示すように、長方形状をなすガラス１２の縁をなす二対の辺のうち一対の辺側、ここでは長さの長い一対の辺側、すなわちガラス１２の長手方向に沿う縁側が左右４箇所ずつにてガラス１２を左枠２６及び右枠２８に押圧すべく係合されている。そして、押圧係合部材３０が左枠２６及び右枠２８に係合された状態における押圧係合部材３０の高さは、カーテンウォール１０の高さより十分に小さいため、ガラス１２の周縁は、外壁面が押圧係合部材３０にて覆われる部位と、覆われずに屋外側に露出する部位とを有している。
【００３１】
本体部３２は、ガラス１２の外壁面側に対面させて配置される板状の壁面対向部３３と、側面及び縦枠側に配置される板状の側面対向部３４とを有し、壁面対向部３３と側面対向部３４とは、ほぼ直角をなしている。壁面対向部３３のガラス１２側には、シール部材３８が嵌め付けられる突部３３ａが設けられている。
【００３２】
側面対向部３４は、枠体２０側に突出し、左枠２６及び右枠２８に係合される姿勢にて上下方向に沿って設けられ、縦枠フック部２６ａ、２８ａと係合する係合部材フック部３４ａが設けられている。係合部材フック部３４ａも縦枠フック部２６ａ、２８と同様に、左枠２６及び右枠２８と係合される姿勢にて見込み方向に間隔を隔てて２箇所に設けられている。
【００３３】
また、係合部材フック部３４ａは、縦枠２６、２８側に突出されており、その先端部には見込み方向に沿って屋外側に向かって形成された突片３４ｂが設けられている。すなわち、係合部材フック部３４ａは、側面対向部３４の側板部３４ｃと突片３４ｂとが見付け方向に間隔を隔てて設けられており、側板部３４ｃと突片３４ｂとが、突片３４ｂの屋内側の縁にて連結部３４ｄにて連結されている。
【００３４】
そして、側面対向部３４は、左枠２６及び右枠２８と係合される姿勢における高さ方向の中央にて上側と下側とが対象な形状をなしているので、左枠２６に係合される押圧係合部材３０と、右枠２８に係合される押圧係合部材３０とは同一であり、共通の部材が用いられる。
【００３５】
シール部材３８は、図５、図６に示すように、弾性を有し、壁面対向部３３に設けられた突部３３ａに係合するための鉤部３８ａを有している。シール部材３８は、壁面対向部３３の上面、下面、及び、見付け方向におけるカーテンウォール１０の中央側の側面、を覆うように壁面対向部３３に嵌め付けられて、押圧係合部材３０が左枠２６及び右枠２８と係合した際にガラス１２と壁面対向部３３との間に介在される。
【００３６】
保持部材５０は、図６に示すように、左枠２６及び右枠２８の外周側面に設けられた２箇所の縦枠フック部２６ａ、２８ａ間にねじにて固定される部材である。保持部材５０は、下側に位置して上下方向における所望の位置に押圧係合部材３０を保持する位置決め部５２と、位置決め部５２と繋がって上側に位置し押圧係合部材３０の屋内側への移動を規制する移動規制部５４とを有している。
【００３７】
位置決め部５２は、上面が押圧係合部材３０の側面対向部３４における下端が載置される載置部５２ａであり、左枠２６及び右枠２８と対面する部位の中央にねじが貫通されるねじ穴が形成されている。このため、載置部５２ａに側面対向部３４の下端が載置された際に押圧係合部材３０が所望の位置となるように保持部材５０は左枠２６及び右枠２８にねじにて固定される。
【００３８】
移動規制部５４は、保持部材５０が固定された際に、左枠２６及び右枠２８の外周側面に設けられた２箇所の縦枠フック部２６ａ、２８ａ間において、屋内側の縦枠フック部２６ａ、２８ａ側に偏った位置に配置される。そして、移動規制部５４の屋外側の面５４ａと、縦枠フック部２６ａ、２８ａの係合片２６ｂ、２８ｂの屋内側の縁との間隔は、係合部材フック部３４ａの連結部３４ｄの見込み方向の幅より広く形成され、係合部材フック部３４ａの突片３４ｂの見込み方向における全幅より広く形成されている。
【００３９】
カーテンウォール１０を組み立てる際には、上枠２２、下枠２４、左枠２６、右枠２８が矩形状に接合され、バックアップ材１９及びガラス枠間シール部材１８が取り付けられた枠体２０に、押圧係合部材３０にてガラス１２を保持すべき所定の位置に保持部材５０を固定する。次に、シール部材３８が嵌め付けられた押圧係合部材３０を、保持部材５０の上方に配置しつつガラス１２の側面及び縦枠２６、２８の側面に近接させて、シール部材３８をガラス１２の屋外側の面に当接させる。このとき、シール部材３８は、係合部材フック部３４ａより縦枠２６、２８側に突出している部位をガラス１２の屋外側の面に当接させる。
【００４０】
そして、押圧係合部材３０をガラス１２側、すなわち屋内方向に押圧しつつ、さらに縦枠２６、２８側に移動させる。この移動により、２つの係合部材フック部３４ａが、縦枠２６、２８が有する２箇所の縦枠フック部２６ａ、２８ａより屋内側にそれぞれ配置される。そして、押圧係合部材３０を屋外側から押圧している力を弱めると押圧係合部材３０がガラス枠間シール部材１８、バックアップ材１９、シール部材３８の弾性力により屋外側に移動され、２つの係合部材フック部３４ａと２箇所の縦枠フック部２６ａ、２８ａとが係合する。
【００４１】
その後、２つの係合部材フック部３４ａと２箇所の縦枠フック部２６ａ、２８ａとの係合状態を維持したままで、押圧係合部材３０を下方に移動させると、移動規制部５４の屋外側の面５４ａと、縦枠フック部２６ａ、２８ａの係合片２６ｂ、２８ｂの屋内側の縁との間に押圧係合部材３０の連結部３４ｄは入り込むとともに保持部材５０の載置部５２ａに押圧係合部材３０が載置される。
【００４２】
このように保持部材５０に押圧係合部材３０が保持されると、押圧係合部材３０が自重により降下したり、屋内方向に移動して係合部材フック部３４ａと縦枠フック部２６ａ、２８ａとの係合が外れることが防止され、ガラス１２保持の信頼性が高いカーテンウォール１０を提供することが可能である。
【００４３】
本実施形態のカーテンウォール１０によれば、ガラス１２における周縁を枠体２０側に押圧する押圧係合部材３０によりガラス１２と枠体２０とが取り付けられるので、例えばストラクチャルシール材等の高価なシーリング材等を用いることなく取り付けることが可能である。また、取り付けられるカーテンウォール１０は工場等にて製造できるので、現場での作業が少なく、足場等も必要としないので施工性がよい。また、ガラス１２の周縁は、壁面が押圧係合部材３０にて覆われる部位と、覆われずに露出している部位とを有するので、全周に亘って覆われたカーテンウォールより、覆われる部位が狭く露出される部位が広いため、意匠の自由度が高く、美観の優れたカーテンウォール１０を実現することが可能である。
【００４４】
また、押圧係合部材３０とガラス１２との間に介在されたシール部材３８の弾性によりガラス１２を枠体２０に、より確実に押圧して保持させることが可能である。
【００４５】
本実施形態のカーテンウォール１０は、押圧係合部材３０が従来の押縁より面積が小さいため押圧係合部材３０により覆われる面積が小さい。このため、面材をガラス１２としたカーテンウォール１０は、より多くの採光が可能である。また、面材がガラス１２なので、外壁側からガラス枠間シール部材１８、バックアップ材１９が視認されてしまうが、押圧係合部材３０をガラス枠間シール部材１８、バックアップ材１９と同系統の色、例えば黒とすることにより、押圧係合部材３０の存在が目立たなくなり、さらに美観に優れた壁面を形成することが可能である。又は、押圧係合部材３０をガラス枠間シール部材１８、バックアップ材１９とは異なる系統の色とすることにより、押圧係合部材３０を目立たせることも可能であり、デザイン性に優れ、意匠の自由度も高い壁面を形成することが可能である。
【００４６】
また、矩形状のガラス１２の一対の辺側が押圧係合部材３０にて押圧されているので、ガラス１２が押圧係合部材３０にて覆われる面積が小さくなり、より美観に優れたカーテンウォール１０を実現することが可能である。このとき、長方形状をなすガラス１２の二対の辺のうち長さの長い一対の辺側を押圧係合部材３０にて押圧したので、より安定して確実にガラス１２を保持させることが可能である。
【００４７】
上記実施形態においては、面材を押圧係合部材３０にて押圧する箇所を、面債の長手方向における左右の４箇所ずつとしたが、これに限るものではない。
【００４８】
また、上記実施形態においては、上枠２２にガラス１２の上端が収容され、下枠２４にガラス１２の下端が収容され、ガラス１２の長手方向に沿う縁側が押圧係合部材３０にて左枠２６側または右枠２８側に押圧されて取り付けられることによりユニット化されているカーテンウォール１０について説明したが、これに限るものではない。例えば、図８（ａ）に示すように、左右の縦枠にガラス１２の左右の端がそれぞれ収容され、ガラス１２の上下端が押圧係合部材３０にて上枠側または下枠側に押圧されて取り付けられていてもよい。また、図８（ｂ）に示すように、ガラス１２の四辺が押圧係合部材３０により上枠側、下枠側、左枠側、縦枠側にそれぞれ押圧されて取り付けられていてもよい。
【００４９】
また、図８（ｃ）に示すように、ガラス１２の角部を枠体に押圧して係合される押圧係合部材３１により、ガラス１２の四隅が枠体にそれぞれ押圧されて取り付けられていてもよい。この場合には、各押圧係合部材３１がガラス１２の四辺のうちの二辺ずつを押圧してガラス１２を確実に保持するとともに、ガラス１２が押圧係合部材３１に覆われる部位が四隅となるので押圧係合部材３１がより目立ちにくく、より美観に優れた壁面を構成することが可能である。このとき、ガラス１２の長手方向に沿う縁を、上記実施形態の押圧係合部材３０にて枠体側に押圧すると、より強固にガラス１２を枠体に保持することが可能である。
【００５０】
また、ガラス１２など面材の形状は矩形に限ることなく、図８（ｄ）に示すような三角形や、六角形、八角形などの多角形状であっても良い。面材が多角形状の場合には、ガラス１２などの面材を外周縁部にて支えつつ様々な形状、例えば三次元形状の外壁を形成することが可能であり、面材の表面がより広く露出されることと相俟って、デザインにおける自由度が高く、より意匠性に優れた外壁を形成することが可能である。
【００５１】
上記実施形態においては、左枠１６及び右枠２８の側面にそれぞれ２列の縦枠フック部２６ａ、２８を備え、押圧係合部材３０をこれら縦枠フック部２６ａ、２８ａと係合する例について説明したが、従来のカーテンウォールにて枠体に面材を固定するための押縁との係合部を使用することにより従来の枠体を使用することが可能である。
【００５２】
上記実施形態では、面材をガラス１２としたが、これに限るものではない。
【００５３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５４】
【図１】本実施形態に係るカーテンウォールが建物に取り付けられている状態を屋外側から見た外観図である。
【図２】本実施形態に係るカーテンウォールの構造を説明するための斜視図である。
【図３】図２におけるＡ−Ａ面である。
【図４】図２におけるＢ−Ｂ面である。
【図５】図２におけるＣ矢視図である。
【図６】図２におけるＤ矢視図である。
【図７】押圧係合部材と保持部材との関係を説明するための模式図である。
【図８】カーテンウォールの変形例を示す外観図である。
【符号の説明】
【００５５】
１０  カーテンウォール、１２  ガラス、
１８  ガラス枠間シール部材、１９  バックアップ材、
３０  押圧係合部材、３１  押圧係合部材、３８  シール部材、
５０  保持部材、５４  移動規制部
【図１】
0004907497.tif 000002
【図２】
0004907497.tif 000003
【図３】
0004907497.tif 000004
【図４】
0004907497.tif 000005
【図５】
0004907497.tif 000006
【図６】
0004907497.tif 000007
【図７】
0004907497.tif 000008
【図８】
0004907497.tif 000009